(57)【要約】【課題】効果的に広告を配信する。【解決手段】端末装置と管理装置とを備える広告システムにおいて、管理装置が、端末装置を利用する利用者の退勤情報に基づいて、広告情報を前記端末装置に送信する制御をする広告情報制御部、を備え、端末装置が、管理装置の制御により送信された広告情報を取得する広告情報取得部と、広告情報取得部が取得した広告情報に基づく広告を表示部に表示させる表示制御部と、を備える。【選択図】図１
2015219659.tif 000002
【特許請求の範囲】
【請求項１】
端末装置と管理装置とを備える広告システムであって、
前記管理装置は、
前記端末装置を利用する利用者の退勤情報に基づいて、広告情報を前記端末装置に送信する制御をする広告情報制御部、
を備え、
前記端末装置は、
前記管理装置の制御により送信された前記広告情報を取得する広告情報取得部と、
前記広告情報取得部が取得した前記広告情報に基づく広告を表示部に表示させる表示制御部と、
を備える、
ことを特徴とする広告システム。
【請求項２】
前記管理装置は、
前記端末装置から退勤情報を取得する勤怠情報取得部、を備え、
前記広告情報制御部は、
前記勤怠情報取得部が退勤情報を取得した場合、前記広告情報を前記端末装置に送信する制御をし、
前記端末装置は、
利用者の退勤に基づいて退勤情報を生成する勤怠情報生成部と、
前記勤怠情報生成部が生成した前記退勤情報を前記管理装置に送信する勤怠情報送信部と、を備える、
ことを特徴とする請求項１に記載の広告システム。
【請求項３】
前記広告システムは、
配車を指示する配車装置をさらに備え、
前記端末装置は、
自装置の位置を示す位置情報を取得する位置情報取得部と、
前記表示部に表示された広告に基づいて配車を要求する入力がされた場合、当該配車を要求する配車要求情報を、前記位置情報取得部が取得した前記位置情報と関連付けて前記配車装置に送信する配車要求情報送信部と、
を備え、
前記配車装置は、
前記端末装置から送信された前記配車要求情報を取得した場合、前記配車要求情報に関連付けられている前記位置情報により示される位置に配車を指示する、
ことを特徴とする請求項１又は２に記載の広告システム。
【請求項４】
前記管理装置の前記広告情報制御部は、
前記退勤情報に基づいて、前記広告情報を前記端末装置に送信する
ことを特徴とする請求項１から３の何れか一項に記載の広告システム。
【請求項５】
前記広告システムは、広告を配信する広告配信装置をさらに備え、
前記管理装置の前記広告情報制御部は、
前記退勤情報に基づいて、前記端末装置へ広告の配信を要求する広告要求情報を、前記広告配信装置に対して送信し、
前記広告配信装置は、
前記管理装置から送信された前記広告要求情報を取得した場合、前記広告情報を前記端末装置に送信する
ことを特徴とする請求項１から３の何れか一項に記載の広告システム。
【請求項６】
端末装置を利用する利用者の退勤情報に基づいて、広告情報を前記端末装置に送信する制御をする広告情報制御部、
を備えることを特徴とする管理装置。
【請求項７】
前記端末装置から前記退勤情報を取得する勤怠情報取得部、
を備え、
前記広告情報制御部は、
前記勤怠情報取得部が前記退勤情報を取得した場合、前記広告情報を前記端末装置に送信する制御をする、
ことを特徴とする請求項６に記載の管理装置。
【請求項８】
利用者の退勤に基づいて退勤情報を生成する勤怠情報生成部と、
前記勤怠情報生成部が生成した前記退勤情報を管理装置に送信する勤怠情報送信部と、
前記退勤情報を送信したことに応じて、前記管理装置の制御により送信された広告情報を取得する広告情報取得部と、
前記広告情報取得部が取得した前記広告情報に基づく広告を表示部に表示させる表示制御部と、
を備えることを特徴とする端末装置。
【請求項９】
コンピュータに、
端末装置を利用する利用者の退勤情報を読み出すステップと、
読み出した前記退勤情報に基づいて、広告情報を前記端末装置に送信する制御をするステップと、
を実行させるためのプログラム。
【請求項１０】
コンピュータに、
利用者の退勤に基づいて退勤情報を生成するステップと、
生成した前記退勤情報を管理装置に送信するステップと、
前記退勤情報を送信したことに応じて、前記管理装置の制御により送信された広告情報を取得するステップと、
取得した前記広告情報に基づく広告を表示部に表示させるステップと、
を実行させるためのプログラム。
【発明の詳細な説明】
【技術分野】
【０００１】
本発明は、広告システム、管理装置、端末装置、およびプログラムに関する。
【背景技術】
【０００２】
近年、携帯型の情報端末の利用が普及してきており、この情報端末にネットワークを介して広告を配信することが行われている。例えば、特許文献１には、情報端末の位置情報に基づいて特定したエリア内の広告を、優先順位を付けて送信するシステムが記載されている。
【先行技術文献】
【特許文献】
【０００３】
【特許文献１】特開２００９−２７１８４５号公報
【発明の概要】
【発明が解決しようとする課題】
【０００４】
ところで、ユーザは、プライベートの時間には比較的自由に情報端末を利用することができるが、勤務中にはその利用が制限されることが多い。そのため、勤務中よりも退勤後に広告を配信した方が効果的に広告を配信することができる。しかしながら、特許文献１記載の技術では、ユーザが勤務中であるか退勤しているのかが不明であるため、広告を効果的に配信することが困難であった。
【０００５】
本発明は、このような事情に鑑みてなされたもので、効果的に広告を配信する広告システム、管理装置、端末装置、およびプログラムを提供することを目的の一つとする。
【課題を解決するための手段】
【０００６】
上記課題を解決するために、本発明の一態様は、端末装置と管理装置とを備える広告システムであって、前記管理装置は、前記端末装置を利用する利用者の退勤情報に基づいて、広告情報を前記端末装置に送信する制御をする広告情報制御部、を備え、前記端末装置は、前記管理装置の制御により送信された前記広告情報を取得する広告情報取得部と、前記広告情報取得部が取得した前記広告情報に基づく広告を表示部に表示させる表示制御部と、を備える、ことを特徴とする広告システムである。
【０００７】
また、本発明の一態様は、前記広告システムにおいて、前記管理装置が、前記端末装置から退勤情報を取得する勤怠情報取得部、を備え、前記広告情報制御部が、前記勤怠情報取得部が退勤情報を取得した場合、前記広告情報を前記端末装置に送信する制御をし、前記端末装置が、利用者の退勤に基づいて退勤情報を生成する勤怠情報生成部と、前記勤怠情報生成部が生成した前記退勤情報を前記管理装置に送信する勤怠情報送信部と、を備える、ことを特徴とする。
【０００８】
また、本発明の一態様は、前記広告システムが、配車を指示する配車装置をさらに備え、前記端末装置が、自装置の位置を示す位置情報を取得する位置情報取得部と、前記表示部に表示された広告に基づいて配車を要求する入力がされた場合、当該配車を要求する配車要求情報を、前記位置情報取得部が取得した前記位置情報と関連付けて前記配車装置に送信する配車要求情報送信部と、を備え、前記配車装置が、前記端末装置から送信された前記配車要求情報を取得した場合、前記配車要求情報に関連付けられている前記位置情報により示される位置に配車を指示する、ことを特徴とする。
【０００９】
また、本発明の一態様は、前記広告システムにおいて、前記管理装置の前記広告情報制御部が、前記退勤情報に基づいて、前記広告情報を前記端末装置に送信することを特徴とする。
【００１０】
また、本発明の一態様は、前記広告システムが、広告を配信する広告配信装置をさらに備え、前記管理装置の前記広告情報制御部が、前記退勤情報に基づいて、前記端末装置へ広告の配信を要求する広告要求情報を、前記広告配信装置に対して送信し、前記広告配信装置が、前記管理装置から送信された前記広告要求情報を取得した場合、前記広告情報を前記端末装置に送信することを特徴とする。
【００１１】
また、本発明の一態様は、端末装置を利用する利用者の退勤情報に基づいて、広告情報を前記端末装置に送信する制御をする広告情報制御部、を備えることを特徴とする管理装置である。
【００１２】
また、本発明の一態様は、前記管理装置が、前記端末装置から前記退勤情報を取得する勤怠情報取得部、を備え、前記広告情報制御部は、前記勤怠情報取得部が前記退勤情報を取得した場合、前記広告情報を前記端末装置に送信する制御をする、ことを特徴とする。
【００１３】
また、本発明の一態様は、利用者の退勤に基づいて退勤情報を生成する勤怠情報生成部と、前記勤怠情報生成部が生成した前記退勤情報を管理装置に送信する勤怠情報送信部と、前記退勤情報を送信したことに応じて、前記管理装置の制御により送信された広告情報を取得する広告情報取得部と、前記広告情報取得部が取得した前記広告情報に基づく広告を表示部に表示させる表示制御部と、を備えることを特徴とする端末装置である。
【００１４】
また、本発明の一態様は、コンピュータに、端末装置を利用する利用者の退勤情報を読み出すステップと、読み出した前記退勤情報に基づいて、広告情報を前記端末装置に送信する制御をするステップと、を実行させるためのプログラムである。
【００１５】
また、本発明の一態様は、コンピュータに、利用者の退勤に基づいて退勤情報を生成するステップと、生成した前記退勤情報を管理装置に送信するステップと、前記退勤情報を送信したことに応じて、前記管理装置の制御により送信された広告情報を取得するステップと、取得した前記広告情報に基づく広告を表示部に表示させるステップと、を実行させるためのプログラム。
【発明の効果】
【００１６】
本発明によれば、効果的に広告を配信することができる。
【図面の簡単な説明】
【００１７】
【図１】第１の実施形態による広告システムの構成例を示す概略ブロック図である。
【図２】第１の実施形態による勤務中の勤怠入力画面の表示例を示す図である。
【図３】第１の実施形態による退勤後の勤怠入力画面の表示例を示す図である。
【図４】第１の実施形態による広告配信処理の動作の一例を示す動作図である。
【図５】第２の実施形態による広告システムの構成例を示す概略ブロック図である。
【図６】第２の実施形態による退勤後の勤怠入力画面の表示例を示す図である。
【図７】第２の実施形態による広告配信処理の動作の一例を示す動作図である。
【発明を実施するための形態】
【００１８】
以下、図面を参照して、本発明の実施の形態について説明する。
＜第１の実施形態＞
図１は、この発明の第１の実施形態による広告システム１の構成の一例を示す概略ブロック図である。広告システム１は、端末装置１００と、管理サーバ２００と、広告配信サーバ３００と、を備えている。端末装置１００と、管理サーバ２００と、広告配信サーバ３００とは、ネットワーク５を介して接続される。このネットワーク５は、インターネットや公衆回線網等であり、いずれか一方を用いて接続される場合も、両方が組み合わされて接続される場合もある。
【００１９】
端末装置１００は、ネットワーク５を介して各種サーバ等と通信可能な携帯型の情報端末（クライアント）であり、スマートフォン、携帯電話、ノート型ＰＣ（Ｐｅｒｓｏｎａｌ  Ｃｏｍｐｕｔｅｒ）、タブレット型ＰＣ、携帯型ゲーム機等を適用することができる。ここでは、端末装置１００は、スマートフォンであるものとして説明する。なお、この図では１台の端末装置１００を図示しているが、複数のユーザがそれぞれ利用している端末装置１００が、ネットワーク５を介して管理サーバ２００及び広告配信サーバ３００に接続される。
【００２０】
例えば、端末装置１００は、ユーザの勤怠情報を入力可能であり、入力された勤怠情報を管理サーバ２００に送信する。この勤怠情報とは、例えば、ユーザが出勤したことを示す出勤情報（勤務を開始したことを示す情報）、及び退勤したことを示す退勤情報（勤務を終了したことを示す情報）である。管理サーバ２００は、端末装置１００から送信される勤怠情報を取得して、取得した勤怠情報をユーザ毎に管理する。これにより、ユーザは外出先であっても端末装置１００から出勤及び退勤の報告を行うことができ、管理サーバ２００で勤怠情報が管理される。
【００２１】
管理サーバ２００は、取得した勤怠情報に基づいて、広告配信サーバ３００から端末装置１００に対して広告が配信されるように制御する。広告配信サーバ３００は、ユーザ情報（年齢、性別、職業、役職、年収等）、ユーザの現在位置情報、現在時刻等に基づいて、当該ユーザに関連性の高い情報の広告を配信する。例えば、管理サーバ２００は、端末装置１００から退勤情報を取得した場合、当該端末装置１００に対して広告が配信されるように広告配信サーバ３００に要求する。そして、広告配信サーバ３００は、管理サーバ２００からの要求に応じて、端末装置１００に対して広告を配信する。これにより、管理サーバ２００は、ユーザに対して効果的に広告が配信されるようにすることができる。
【００２２】
以下、図１を参照して、本実施形態による端末装置１００及び管理サーバ２００の構成を詳しく説明する。
（端末装置１００の構成）
まず、端末装置１００の構成を説明する。
端末装置１００は、端末通信部１１０と、タッチパネル１２０と、端末記憶部１３０と、端末制御部１４０と、を備えている。
【００２３】
端末通信部１１０は、外部機器とネットワーク５を介して通信する。例えば、端末通信部１１０は、管理サーバ２００及び広告配信サーバ３００とネットワーク５を介して接続し、データの送受信を行う。
【００２４】
タッチパネル１２０は、表示部１２１と、入力部１２２とを備えている。この表示部１２１と入力部１２２とは重ね合わせて一体として構成されている。表示部１２１は、画像や文字等の情報を表示する液晶ディスプレイや有機ＥＬ（Electro-Luminescence）ディスプレイ等を備えている。入力部１２２は、表示部１２１の表示面上における接触を検知することにより、ユーザからの操作入力を受け付ける。例えば、入力部１２２は、静電容量の変化、圧力の変化、電気抵抗の変化などを利用して接触を検出するタッチセンサを備えている。入力部１２２は、ユーザからの操作入力を受け付けると、受け付けた操作入力に応じた操作入力信号を端末制御部１４０に供給する。
【００２５】
端末記憶部１３０は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュＲＯＭ、ＨＤＤ（Ｈａｒｄ  Ｄｉｓｋ  Ｄｒｉｖｅ）等の記録媒体またはこれらの組合せを用いて構成され、端末装置１００が備える各部を制御するためのプログラム、データ、各種情報等を記憶する。
【００２６】
端末制御部１４０は、表示制御部１４１と、入力受付部１４２と、位置情報取得部１４３と、勤怠情報生成部１４４と、勤怠情報送信部１４５と、広告情報取得部１４６と、を備えている。
【００２７】
表示制御部１４１は、表示部１２１への表示を制御する。例えば、表示制御部１４１は、出勤及び退勤の報告を入力するための勤怠入力画面を表示部１２１に表示させる。また、表示制御部１４１は、端末装置１００が広告配信サーバ３００から取得した広告情報に基づく広告を表示部１２１に表示させる。
【００２８】
図２は、表示部１２１に表示される勤務中の勤怠入力画面の表示例を示す図である。符号１２０ａは、勤怠入力画面が表示されている全体の領域を示している。この全体の領域のうち符号１２０ｂの領域には、この画面が勤怠入力画面であることと勤務中であることを示す情報（ここでは、「勤怠入力（勤務中）」）が表示されている。符号１２０ｃの領域には、現在の日時情報（ここでは、「４月７日  １０：３０」）が表示される。
【００２９】
符号１２０ｄの領域には、出勤ボタンＫ１及び退勤ボタンＫ２が表示されている。出勤ボタンＫ１は、ユーザが出勤（勤務開始）を報告するための操作子である。退勤ボタンＫ２は、ユーザが退勤（勤務終了）を報告するための操作子である。また、符号１２０ｅの領域には、出勤時刻（勤務開始時刻）と、退勤時刻（勤務終了時刻）が表示される。この図に示す例では、勤務中の勤怠入力画面であるため、出勤時刻は確定しているが（ここでは、「８：３０」）、退勤時刻は確定していない（ここでは、「−−：−−」）。
【００３０】
符号１２０ｆの領域には、端末装置１００の現在位置の周辺地図と、地図上における端末装置１００の現在位置を示すポイントＫ３とが表示される。なお、この地図上には、端末装置１００のこれまでの移動経路が表示されてもよいし、これから向かう目的地までの経路の案内が表示されてもよい。符号１２０ｅの領域には、勤務メモとして、ユーザが登録した勤務予定等（ここでは、「１３：００：○×会社訪問」）が表示される。
【００３１】
図３は、表示部１２１に表示される退勤後の勤怠入力画面の表示例を示す図である。この図に示す例は、例えば、図２に示す勤務中の勤怠入力画面において、１７時３０分にユーザが退勤ボタンＫ２に対してタップ操作を行った後の勤怠入力画面である。
符号１２０ｂの領域には、この画面が勤怠入力画面であることと勤務時間外であることを示す情報（ここでは、「勤怠入力（勤務外）」）が表示されている。符号１２０ｃの領域には、現在の日時情報（ここでは、「４月７日  １７：４０」）が表示される。
【００３２】
符号１２０ｄの領域には、図２と同様に出勤ボタンＫ１及び退勤ボタンＫ２が表示されている。また、符号１２０ｅの領域には、出勤時刻及び退勤時刻が表示される。出勤時刻には図２と同様の時刻（ここでは、「８：３０」）が表示され、退勤時刻には確定した退勤時刻（ここでは、「１７：３０」）が表示される。
【００３３】
符号１２０ｆの領域には、図２と同様に、端末装置１００の現在位置の周辺地図と、地図上における端末装置１００の現在位置を示すポイントＫ３とが表示される。また、符号１２０ｇの領域には、広告が表示される。この広告は、ユーザの退勤後に広告配信サーバ３００から端末装置１００に配信された広告である。
【００３４】
例えば、配信される広告には、住宅販売会社が提供する不動産（一戸建ての住宅やマンション）の広告、飲食店が提供するお店紹介や料理メニューや割引サービス等の広告、アミューズメント施設が提供する施設照会や割引サービス等の広告、等がある。この図では、ユーザが退勤の報告を行った場所の周辺で販売される新築マンションの広告が表示されている例を示している。なお、符号１２０ｆの領域の地図上には、広告に掲載されている情報の場所や現在位置からその場所までの経路が表示されてもよい。また、符号１２０ｆの領域に表示される広告には、その広告の詳細情報をリンク先とするリンク情報が含まれもよい。
【００３５】
図１に戻り、入力受付部１４２は、入力部１２２から端末制御部１４０に供給された操作入力信号を取得すると、取得した操作入力信号に応じて操作内容を示す操作情報を端末制御部１４０が備える各部に供給する。
【００３６】
位置情報取得部１４３は、端末装置１００の現在の位置情報を取得する。例えば、位置情報取得部１４３は、ＧＰＳ（Ｇｌｏｂａｌ  Ｐｏｓｉｔｉｏｎｉｎｇ  Ｓｙｓｔｅｍ）衛星から受信する電波に基づいて位置を測定するＧＰＳ受信ユニットを含んで構成され、ＧＰＳ衛星から受信する電波に基づいて端末装置１００の現在の位置情報を取得する。
【００３７】
なお、位置情報取得部１４３は、ＧＰＳを用いる方法に限らず他の方法を用いて位置情報を取得してもよい。例えば、位置情報取得部１４３は、端末通信部１１０がネットワーク５に接続するときの無線接続スポット（基地局）の情報に基づいて位置情報を取得してもよい。この端末通信部１１０を介して取得する位置情報は、ＧＰＳを用いて取得する位置情報に対して精度が劣る場合があるが、端末装置１００の位置情報として利用することができる。例えば、位置情報取得部１４３は、端末装置１００がＧＰＳ衛星からの電波を受信できない場所にある場合、端末装置１００のＧＰＳ機能がオフされている場合、又は端末装置１００がＧＰＳ機能を有していない場合に、端末通信部１１０を介して位置情報を取得してもよい。
【００３８】
勤怠情報生成部１４４は、ユーザの出勤及び退勤に基づいて、当該ユーザの勤怠情報を生成する。例えば、勤怠情報生成部１４４は、出勤及び退勤の報告を入力可能な勤怠入力画面を、表示制御部１４１を介して表示部１２１に表示させる。例えば、図２に示す勤怠入力画面において、ユーザが出勤又は退勤を報告する操作として出勤ボタンＫ１又は退勤ボタンＫ２にタップ操作を行うと、入力部１２２及び入力受付部１４２を介して、操作内容を示す操作情報が勤怠情報生成部１４４に供給される。例えば、勤怠情報生成部１４４は、ユーザにより出勤を報告する操作がされたことを示す操作情報を取得すると、当該ユーザが出勤したこと（勤務を開始したこと）を示す出勤情報を生成する。また、勤怠情報生成部１４４は、ユーザにより退勤を報告する操作がされたことを示す操作情報を取得すると、当該ユーザが退勤したこと（勤務を終了したこと）を示す退勤情報を生成する。
【００３９】
ここで、勤怠情報（出勤情報及び退勤情報）には、例えば、「出勤と退勤を識別する情報（出勤であることを示す情報又は退勤であることを示す情報）」、「ユーザＩＤ（Ｉｄｅｎｔｉｆｉｃａｔｉｏｎ）」、「時刻情報」、及び「位置情報」が含まれる。「ユーザＩＤ」は、端末装置１００を利用するユーザを識別可能な識別情報である。なお、ユーザＩＤに代えて、端末装置１００ごとに設定された識別情報（端末ＩＤ、電話番号等）を用いてもよい。「時刻情報」は、ユーザが出勤又は退勤を報告する操作を行ったときの時刻を示す情報である。例えば、端末装置１００は、内部に時刻を計時する計時部（不図示）を備えており、計時した時刻に基づいて時刻情報を取得する。なお、端末装置１００は、外部装置からネットワーク５を介して時刻情報を取得してもよい。「位置情報」は、ユーザが出勤又は退勤を報告する操作を行ったときの端末装置１００の位置情報である。
【００４０】
勤怠情報送信部１４５は、勤怠情報生成部１４４が生成した出勤情報及び退勤情報を、ネットワーク５を介して管理サーバ２００に送信する。
【００４１】
広告情報取得部１４６は、広告配信サーバ３００から送信される広告情報を、ネットワーク５を介して取得する。そして、広告情報取得部１４６は、取得した広告情報に基づく広告を、表示制御部１４１を介して表示部１２１に表示させる（例えば、図３に示す表示例を参照）。
【００４２】
（管理サーバ２００の構成）
次に、管理サーバ２００の構成を説明する。
管理サーバ２００は、サーバ通信部２１０と、サーバ制御部２２０と、サーバ記憶部２３０と、を備えている。サーバ通信部２１０は、外部機器とネットワーク５を介して通信する。例えば、サーバ通信部２１０は、端末装置１００及び広告配信サーバ３００とネットワーク５を介して接続し、データの送受信を行う。
【００４３】
サーバ制御部２２０は、勤怠情報取得部２２１と、広告情報制御部２２２と、を備えている。
勤怠情報取得部２２１は、端末装置１００から送信された勤怠情報を、ネットワーク５を介して取得する。例えば、勤怠情報取得部２２１は、端末装置１００から送信された出勤情報及び退勤情報を取得し、取得した出勤情報及び退勤情報をサーバ記憶部２３０に記憶させる。例えば、管理サーバ２００は、複数のユーザの端末装置１００のそれぞれから取得した勤怠情報を管理することにより、各ユーザが勤務中であるか否かを管理することができる。
【００４４】
例えば、勤怠情報取得部２２１は、「出勤と退勤を識別する情報」、「ユーザＩＤ」、「時刻情報」、及び「位置情報」が含まれる勤怠情報（出勤情報及び退勤情報）を、端末装置１００から取得する。これにより、管理サーバ２００は、出勤又は退勤の報告を行ったユーザ（端末装置１００）、時刻、及び位置（場所）を特定することができる。
【００４５】
なお、勤怠情報取得部２２１は、端末装置１００の位置情報をトラッキングして所定の時間間隔で取得してもよい。その場合、勤怠情報（出勤情報及び退勤情報）に「位置情報」が含まれなくてもよい。例えば、勤怠情報取得部２２１は、勤怠情報（出勤情報及び退勤情報）を取得したときに、トラッキングしている端末装置１００の位置情報のうちの最新の位置情報を関連付けてもよい。
【００４６】
広告情報制御部２２２は、勤怠情報取得部２２１が端末装置１００から退勤情報を取得した場合、当該端末装置１００に広告情報を送信する制御をする。また、広告情報制御部２２２は、勤怠情報取得部２２１が端末装置１００から出勤情報を取得した場合には、当該端末装置１００に広告情報を送信する制御を行わない。これにより、管理サーバ２００は、勤務中のユーザの端末装置１００には広告が配信されないように制御し、退勤したユーザの端末装置１００に広告が配信されるように制御することができる。従って、本実施形態による広告システム１では、効果的な広告の配信が可能となる。
【００４７】
具体的には、広告情報制御部２２２は、勤怠情報取得部２２１が端末装置１００から退勤情報を取得したことに応じて、当該端末装置１００へ広告の配信を要求する広告要求情報を、広告配信サーバ３００に対して送信する。これにより、広告配信サーバ３００は、退勤したユーザの端末装置１００に対して広告を配信する。
【００４８】
また、広告情報制御部２２２は、勤怠情報取得部２２１が退勤情報を取得した後、次に出勤情報を取得するまでの間は、勤務時間外であると判定し、勤務時間外のユーザの端末装置１００への広告の配信を許可してもよい。例えば、広告情報制御部２２２は、勤怠情報取得部２２１が端末装置１００から退勤情報を取得したことに応じて、当該端末装置１００へ広告の配信を許可する配信許可情報を、広告配信サーバ３００に対して送信してもよい。一方、広告情報制御部２２２は、勤怠情報取得部２２１が端末装置１００から出勤情報を取得したことに応じて、当該端末装置１００へ広告の配信を禁止する配信禁止情報を、広告配信サーバ３００に対して送信してもよい。そして、広告配信サーバ３００は、管理サーバ２００から配信許可情報を受け取った場合には、許可された端末装置１００へ広告を配信し、配信禁止情報を受け取った場合には、禁止された端末装置１００へ広告を配信しない。なお、広告配信サーバ３００は、勤務時間外のユーザの端末装置１００に対して、所定の時間間隔で断続的に広告を配信してもよいし、広告主によって設定された時刻又は時間帯に広告を配信してもよい。
【００４９】
また、広告情報制御部２２２は、広告要求情報を送信する場合、退勤情報に含まれる「ユーザＩＤ」と「位置情報」とを広告要求情報に含めて送信してもよい。これにより、広告配信サーバ３００は、退勤したユーザの端末装置１００に対して、当該ユーザの現在位置周辺の広告を抽出して配信することができる。なお、広告情報制御部２２２は、勤怠情報取得部２２１がトラッキングしている端末装置１００の位置情報を、随時広告配信サーバ３００に送信してもよい。これにより、広告配信サーバ３００は、所定の時間間隔で断続的に広告を配信する場合、又は広告主によって設定された時刻又は時間帯に広告を配信する場合、端末装置１００がユーザによって携帯されて移動していても、配信する時々の端末装置１００の位置に基づいて広告を抽出して配信することができる。
【００５０】
なお、広告情報制御部２２２は、退勤情報を送信した端末装置１００を利用するユーザのユーザ情報（年齢、性別、職業、役職、年収等）を広告要求情報に含めて送信してもよい。これにより、広告配信サーバ３００は、退勤の報告を行ったユーザの端末装置１００に対して、当該ユーザの年齢、性別、職業、役職、年収等に応じて関連性の高い広告を抽出して配信することができる。
【００５１】
サーバ記憶部２３０は、端末装置１００から取得した勤怠情報（出勤情報及び退勤情報）を記憶する。また、サーバ記憶部２３０は、端末装置１００を利用するユーザのユーザ情報（年齢、性別、職業、役職、年収等）を記憶する。
【００５２】
（広告配信処理の動作）
次に、図４を参照して、本実施形態による広告システム１における広告配信処理の動作を説明する。
図４は、本実施形態による広告システム１における広告配信処理の動作の一例を示す動作図である。
【００５３】
まず、端末装置１００が表示する勤怠入力画面（図２参照）において、ユーザが出勤ボタンＫ１にタップ操作を行うと、入力部１２２は、ユーザからの操作入力を受け付け、受け付けた操作入力に応じた操作入力信号を入力受付部１４２に送信する。入力受付部１４２は、入力部１２２から操作入力信号を取得すると、出勤を報告する操作がされたことを示す操作情報を勤怠情報生成部１４４に供給する（ステップＳ１１０：出勤入力受付）。
【００５４】
勤怠情報生成部１４４は、ユーザにより出勤を報告する操作がされたことを示す操作情報を取得すると、当該ユーザが出勤したこと（勤務を開始したこと）を示す出勤情報を生成する。そして、勤怠情報送信部１４５は、勤怠情報生成部１４４が生成した出勤情報を、ネットワーク５を介して管理サーバ２００に送信する（ステップＳ１２０：出勤情報送信）。
【００５５】
次に、管理サーバ２００の勤怠情報取得部２２１は、端末装置１００から送信された出勤情報を、ネットワーク５を介して取得する。そして、勤怠情報取得部２２１は、取得した出勤情報をサーバ記憶部２３０に記憶させる。例えば、勤怠情報取得部２２１は、取得した出勤情報に含まれる「出勤であることを示す情報」、「ユーザＩＤ」、「時刻情報」、及び「位置情報」を関連付けてサーバ記憶部２３０に記憶させる（ステップＳ２１０：出勤情報取得）。
これにより、管理サーバ２００は、この端末装置１００を利用するユーザが勤務中であると判定する。
【００５６】
上記勤務中の状態において、端末装置１００が表示する勤怠入力画面（図２参照）において、ユーザが退勤ボタンＫ２にタップ操作を行うと、入力部１２２は、ユーザからの操作入力を受け付け、受け付けた操作入力に応じた操作入力信号を入力受付部１４２に送信する。入力受付部１４２は、入力部１２２から操作入力信号を取得すると、退勤を報告する操作がされたことを示す操作情報を勤怠情報生成部１４４に供給する（ステップＳ１３０：退勤入力受付）。
【００５７】
勤怠情報生成部１４４は、ユーザにより退勤を報告する操作がされたことを示す操作情報を取得すると、当該ユーザが退勤したこと（勤務を終了したこと）を示す退勤情報を生成する。そして、勤怠情報送信部１４５は、勤怠情報生成部１４４が生成した退勤情報を、ネットワーク５を介して管理サーバ２００に送信する（ステップＳ１４０：退勤情報送信）。
【００５８】
次に、管理サーバ２００の勤怠情報取得部２２１は、端末装置１００から送信された退勤情報を、ネットワーク５を介して取得する。そして、勤怠情報取得部２２１は、取得した退勤情報をサーバ記憶部２３０に記憶させる。例えば、勤怠情報取得部２２１は、取得した退勤情報に含まれる「退勤であることを示す情報」、「ユーザＩＤ」、「時刻情報」、及び「位置情報」を関連付けてサーバ記憶部２３０に記憶させる（ステップＳ２２０：退勤情報取得）。
これにより、管理サーバ２００は、この端末装置１００を利用するユーザが退勤したと判定する。
【００５９】
管理サーバ２００の広告情報制御部２２２は、勤怠情報取得部２２１が端末装置１００から退勤情報を取得したことに応じて、当該端末装置１００へ広告の配信を要求する広告要求情報を、広告配信サーバ３００に対して送信する（ステップＳ２３０：広告配信要求）。例えば、広告要求情報には、退勤情報に含まれる「ユーザＩＤ」及び「位置情報」と、「ユーザＩＤ」により示されるユーザの「ユーザ情報（年齢、性別、職業、役職、年収等）」とが含まれる。
【００６０】
次に、広告配信サーバ３００は、管理サーバ２００から広告要求情報を取得すると、当該要求信号に含まれる「位置情報」及び「ユーザ情報」に基づいて、退勤したユーザに関連性の高い広告を抽出する（ステップＳ３１０：広告抽出）。
【００６１】
そして、広告配信サーバ３００は、抽出した広告を端末装置１００で表示させるための広告情報を、広告要求情報に含まれる「ユーザＩＤ」により示されるユーザの端末装置１００に対して送信する（ステップＳ３２０：広告情報送信）。
【００６２】
次に、端末装置１００の広告情報取得部１４６は、広告配信サーバ３００から送信された広告情報を取得する。そして、広告情報取得部１４６は、取得した広告情報に基づく広告を、表示制御部１４１を介して表示部１２１に表示させる（ステップＳ１５０：広告を表示、図３参照）。
【００６３】
以上説明したように、本実施形態による広告システム１は、端末装置１００と、管理サーバ２００（管理装置）と、を備えている。端末装置１００は、勤怠情報生成部１４４と、勤怠情報送信部１４５と、広告情報取得部１４６と、表示制御部１４１と、を備えている。管理サーバ２００は、勤怠情報取得部２２１と、広告情報制御部２２２と、を備えている。
端末装置１００の勤怠情報生成部１４４は、ユーザ（利用者）の退勤に基づいて退勤情報を生成する。例えば、勤怠情報生成部１４４は、勤怠入力画面（図２参照）においてユーザが退勤を報告する操作を行うことにより、当該ユーザの退勤情報を生成する。また、端末装置１００の勤怠情報送信部１４５は、勤怠情報生成部１４４が生成した退勤情報を管理サーバ２００に送信する。
一方、管理サーバ２００の勤怠情報取得部２２１は、端末装置１００から退勤情報を取得する。また、管理サーバ２００の広告情報制御部２２２は、勤怠情報取得部２２１が退勤情報を取得した場合、広告情報を端末装置１００に送信する制御をする。
また、端末装置１００の広告情報取得部１４６は、管理サーバ２００の制御により送信された広告情報を取得する。そして、端末装置１００の表示制御部１４１は、広告情報取得部１４６が取得した広告情報に基づく広告を表示部１２１に表示させる。
【００６４】
このように、本実施形態による広告システム１は、ユーザの端末装置１００から退勤情報が送信されたことに応じて当該端末装置１００へ広告を配信する。よって、広告システム１は、ユーザの勤務中には広告を配信しないで、ユーザが退勤した後に広告を配信することができるため、効果的に広告を配信することができる。
【００６５】
例えば、広告システム１は、広告を配信する広告配信サーバ３００（広告配信装置）を備えている。管理サーバ２００の広告情報制御部２２２は、勤怠情報取得部２２１が退勤情報を取得した場合、端末装置１００へ広告の配信を要求する広告要求情報を、広告配信サーバ３００に対して送信する。広告配信サーバ３００は、管理サーバ２００から送信された広告要求情報を取得した場合、広告情報を端末装置１００に送信する。
【００６６】
このように、管理サーバ２００は、端末装置１００から退勤情報を取得したことに応じて、当該端末装置１００に対して広告配信サーバ３００から広告が配信されるように制御する。よって、管理サーバ２００は、ユーザの勤務中には広告が配信されないようにし、ユーザが退勤した後に広告が配信されるようにすることができるため、広告配信サーバ３００から端末装置１００に対して効果的に広告が配信されるようにすることができる。
【００６７】
なお、本実施形態では、広告配信サーバ３００から端末装置１００に対して広告情報が送信される例を説明したが、これに限られるものではない。例えば、広告配信サーバ３００から管理サーバ２００を介して端末装置１００に広告情報が送信されてもよい。つまり、管理サーバ２００が広告配信サーバ３００から広告情報を取得し、取得した広告情報を端末装置１００に送信するようにしてもよい。また、広告配信サーバ３００が管理サーバ２００の内部に備えられ、管理サーバ２００が広告配信サーバ３００と一体となったサーバ装置として構成されてもよい。この場合、管理サーバ２００は、端末装置１００から送信された退勤情報を取得した場合、管理サーバ２００から端末装置１００へ広告情報を送信する。即ち、管理サーバ２００の広告情報制御部２２２は、勤怠情報取得部２２１が取得した退勤情報に基づいて、広告情報を端末装置１００に送信してもよい。
【００６８】
また、本実施形態では、ユーザが退勤を報告する操作を行うことにより端末装置１００が退勤情報を管理サーバ２００に送信する例を説明したが、これに限られるものではない。例えば、ユーザが退勤を報告する操作を行わなくとも、端末装置１００がユーザの退勤を検出して退勤情報を管理サーバ２００に送信してもよい。例えば、端末装置１００は、所定の場所に近づいたこと、又は所定の場所を通過したことにより、自装置を所持するユーザが退勤したことを検出して、退勤情報を管理サーバ２００に送信してもよい。ここで、所定の場所とは、勤務する会社、工場、作業場等の門又は玄関（出口）であってもよいし、退勤するときに立ち寄る場所又は通過する場所であってもよい。また、端末装置１００が所定の場所への接近又は通過を検出する方法としては、例えば、ＧＰＳの位置情報による検出、ＲＦＩＤ（Ｒａｄｉｏ  Ｆｒｅｑｕｅｎｃｙ  Ｉｄｅｎｔｉｆｉｅｒ）又はＢｌｕｅｔｏｏｔｈ（登録商標）等の近距離無線通信による検出等、いずれの方法を用いてもよい。
【００６９】
また、端末装置１００は、予め設定された退勤時刻に基づいて、退勤情報を管理サーバ２００に送信してもよい。例えば、端末装置１００は、予め設定された退勤時刻になったこと又は過ぎたことに応じて、退勤情報を管理サーバ２００に送信してもよい。なお、予め設定された退勤時刻とは、勤務先における規定の退勤時刻であってもよいし、ユーザが設定した退勤時刻であってもよい。また、端末装置１００に設定する退勤時刻は、1日単位、1週間単位、月単位、又は年単位で設定可能であってもよい。
【００７０】
また、本実施形態では、端末装置１００から送信された退勤情報に基づいて、管理サーバ２００が広告情報を送信する制御をする例を説明したが、これに限られるものではない。例えば、管理サーバ２００は、各ユーザの規定の退勤時刻を管理している場合、端末装置１００から退勤情報を取得することなく、その管理している各ユーザの退勤時刻に基づいて、退勤時刻を過ぎたユーザの端末装置１００に広告情報を送信する制御をしてもよい。即ち、管理サーバ２００の広告情報制御部２２２は、端末装置１００を利用するユーザの退勤情報に基づいて、広告情報を端末装置１００に送信する制御をしてもよい。
【００７１】
なお、「出勤と退勤を識別する情報」、「ユーザＩＤ」、「時刻情報」、「位置情報」等の各情報は、勤怠情報（出勤情報及び退勤情報）に関連付けられていればよく、勤怠情報に含まれてもよいし、含まれなくともよい。
また、「ユーザＩＤ」、「位置情報」、「ユ―ザ情報」等の各情報は、広告要求情報に関連付けられていればよく、広告要求情報に含まれてもよいし、含まれなくともよい。
【００７２】
＜第２の実施形態＞
次に、本発明の第２の実施形態について説明する。
本実施形態では、配信された広告に掲載されている場所へユーザが行くための手段として、タクシーを配車する広告システムの構成を説明する。
【００７３】
例えば、配信された広告を見たユーザが、その広告に掲載された場所（例えば、販売されるマンションのモデルルーム、飲食店等の店舗、アミューズメント施設）へ行ってみたいと思ったとしても、徒歩で容易に行けるほど近くはない場合がある。その場合、ユーザは、電車、バス等を利用することを考えたとしても、広告に掲載された場所へ行く交通手段に詳しくない場合がある。また、ユーザがタクシーを利用することを考えたとしても、空車のタクシーがすぐに見つかるとは限らない。これにより、ユーザが広告に興味を持ったとしても、その場所に行くことをあきらめてしまうことがあり、広告主としては広告によって得られるはずの効果を逃してしまうことがある。
そこで、本実施形態による広告システムでは、配信された広告に掲載された場所へ行く手段としてタクシーを容易に利用できるように、当該広告から配車を要求できるように構成した。
【００７４】
図５は、本実施形態による広告システム１Ａの構成の一例を示す概略ブロック図である。広告システム１Ａは、端末装置１００Ａと、管理サーバ２００と、広告配信サーバ３００と、配車装置４００と、を備えている。なお、この図において、図１と同様の構成には同一の符号を付しており、その説明を省略する。
【００７５】
端末装置１００Ａは、端末通信部１１０と、タッチパネル１２０と、端末記憶部１３０と、端末制御部１４０Ａと、を備え、端末制御部１４０Ａの構成が図１に示す端末制御部１４０と異なる。端末制御部１４０Ａは、図１に示す端末制御部１４０が備える構成に加えて、配車要求情報送信部１４７を備えている。
【００７６】
配車要求情報送信部１４７は、表示部１２１に表示された広告に基づいて配車を要求する入力がされた場合、当該配車を要求する配車要求情報を配車装置４００に送信する。例えば、配車要求情報には、位置情報取得部１４３が取得した位置情報が含まれている。
【００７７】
図６は、本実施形態による退勤後の勤怠入力画面の表示例を示す図である。この図に示す勤怠入力画面は、配車を要求することができる点が、図３に示す勤怠入力画面と異なる。この図に示す例では、符号１２０ｇの領域に表示されている広告には、販売される新築マンションの広告が掲載されている。また、この広告には、新築マンションのモデルルームへ行くためのタクシーの配車を要求する（「タクシーを呼ぶ」）ための操作子として配車要求ボタンＫ４が表示されている。この配車要求ボタンＫ４にユーザがタップ操作を行うことにより、配車要求情報送信部１４７は、配車要求情報を配車装置４００に送信する。
【００７８】
ここで、この広告内に表示される配車要求ボタンＫ４は、広告配信サーバ３００から端末装置１００Ａに送信される広告情報に含まれている。例えば、広告配信サーバ３００は、配車要求ボタンＫ４を含む広告情報を、端末装置１００Ａに送信する。なお、広告配信サーバ３００は、配車要求ボタンＫ４を含む広告の掲載情報を広告配信サーバ３００内に有し、この広告の掲載情報をリンク先とするリンク情報を広告情報として、端末装置１００Ａに送信してもよい。
【００７９】
また、配車要求ボタンＫ４は、配車を要求するための操作が可能な配車要求画面をリンク先として表示させるための操作子としてもよい。つまり、ユーザが配車要求ボタンＫ４にタップ操作をすると、リンク先の配車要求画面が表示部１２１に表示され、その配車要求画面に対してユーザが所定の操作を行うことにより、配車要求情報送信部１４７が、配車要求情報を配車装置４００に送信してもよい。
【００８０】
配車装置４００は、端末装置１００Ａから送信された配車要求情報を取得した場合、配車要求情報に含まれる位置情報が示す位置にタクシーの配車を指示する。例えば、配車装置４００は、配車要求情報を取得すると、その旨を稼働中又は待機中の各タクシーに通知する。
具体的には、配車装置４００は、配車が可能であるか否かを確認する配車確認情報を、無線通信により各タクシーが備えるタクシー端末に対して送信する。例えば、配車装置４００は、各タクシーの走行している位置を各タクシーから送信される位置情報に基づいてトラッキングしており、配車要求情報に含まれる位置情報と、各タクシーの位置情報とに基づいて、配車要求したユーザの位置に近いタクシーに対して優先的に配車確認情報を送信する。タクシーから配車可能の連絡を受けると、配車装置４００は、そのタクシーのタクシー端末に対して配車を指示する配車指示情報を送信する。
なお、配車装置４００が配車要求情報を取得した場合、その配車要求情報に基づいてオペレータ（タクシー会社の担当者）が無線通信で各タクシーへ配車の確認及び指示を行ってもよい。
【００８１】
（広告配信処理における配車処理の動作）
次に、図７を参照して、本実施形態による広告システム１Ａにおける広告配信処理において、配車を行う処理の動作を説明する。
図７は、本実施形態による広告システム１Ａにおける広告配信処理の動作の一例を示す動作図である。なお、この図において、図４と同様の処理には同一の符号を付しており、その説明を省略する。
【００８２】
端末装置１００Ａが広告配信サーバ３００から送信された広告情報に基づく広告を表示部１２１に表示させる処理（ステップＳ１５０）までは、図４に示す端末装置１００、管理サーバ２００、及び広告配信サーバ３００が行う処理と同様であるため、ステップＳ１６０以降の処理を説明する。なお、ステップＳ１５０において、端末装置１００Ａには、販売される新築マンション（不動産）の広告が表示され、その広告内には、その新築マンションのモデルルームへ行くためのタクシーの配車を要求するための配車要求ボタンＫ４が表示されているものとして説明する（図６参照）。
【００８３】
端末装置１００Ａが表示する勤怠入力画面（図６参照）において、ユーザが配車要求ボタンＫ４にタップ操作を行うと、入力部１２２は、ユーザからの操作入力を受け付け、受け付けた操作入力に応じた操作入力信号を入力受付部１４２に送信する。入力受付部１４２は、入力部１２２から操作入力信号を取得すると、配車を要求する操作がされたことを示す操作情報を配車要求情報送信部１４７に供給する（ステップＳ１６０：配車要求受付）。
【００８４】
配車要求情報送信部１４７は、ユーザにより配車を要求する操作がされたことを示す操作情報を取得すると、位置情報取得部１４３が取得した現在位置の位置情報を含めた配車要求情報を配車装置４００に送信する（ステップＳ１７０：配車要求情報送信）。なお、配車要求情報送信部１４７は、現在位置の位置情報を配車要求情報に関連付けて配車装置４００に送信すればよく、現在位置の位置情報を配車要求情報に含めてもよいし、含めなくともよい。
【００８５】
配車装置４００は、端末装置１００Ａから送信された配車要求情報を取得すると、配車要求情報に含まれる位置情報により示される位置にタクシーの配車を指示する（ステップＳ４１０：配車指示）。これにより、配車を要求したユーザの位置にタクシーが配車されるため、ユーザは、そのタクシーを利用して、広告に掲載されている新築マンションのモデルルームへ容易に行くことができる。
【００８６】
以上説明したように、本実施形態による広告システム１Ａは、第１の実施形態による広告システム１に対して、配車装置４００を更に備えている。また、広告システム１Ａが備える端末装置１００Ａは、位置情報取得部１４３と、配車要求情報送信部１４７と、を備えている。
位置情報取得部１４３は、例えばＧＰＳを利用して、端末装置１００Ａの現在の位置情報を取得する。配車要求情報送信部１４７は、表示部１２１に表示された広告に基づいて配車を要求する入力がされた場合、当該配車を要求する配車要求情報を、位置情報取得部１４３が取得した位置情報と関連付けて配車装置４００に送信する。
配車装置４００は、端末装置１００Ａから送信された配車要求情報を取得した場合、この配車要求情報に関連付けられている位置情報により示される位置に配車を指示する。
【００８７】
このように、本実施形態による広告システム１Ａは、端末装置１００Ａに表示された広告から配車を要求することができるため、ユーザが広告に掲載されている場所へタクシー利用して容易に行けるようにすることができる。よって、広告システム１Ａは、ユーザが広告に興味を持った場合にその場所に容易に行けるようにすることで、広告によって得られる効果を失わないようにすることができる。
【００８８】
なお、本実施形態では、端末装置１００Ａから配車装置４００に対して配車要求情報が送信される例を説明したが、これに限られるものではない。例えば、端末装置１００Ａから管理サーバ２００を介して配車装置４００に対して配車要求情報が送信されてもよい。つまり、管理サーバ２００が端末装置１００Ａから配車要求情報を取得し、取得した配車要求情報を配車装置４００に送信するようにしてもよい。また、配車装置４００が管理サーバ２００又は広告配信サーバ３００の内部に備えられ、管理サーバ２００又は広告配信サーバ３００が配車装置４００と一体となったサーバ装置として構成されてもよい。また、管理サーバ２００、広告配信サーバ３００、及び配車装置４００が一体となったサーバ装置として構成されてもよい。
【００８９】
以上、この発明の第１及び第２の実施形態を図面を参照して詳述してきたが、具体的な構成はこの実施形態に限られるものではなく、この発明の要旨を逸脱しない範囲の設計等も含まれる。例えば、上述の第１及び第２の実施形態において説明した各機能は、任意に組み合わせることができる。
【００９０】
なお、図１又は図５における端末制御部１４０、１４０Ａの一部もしくは全部、又はサーバ制御部２２０の一部もしくは全部は専用のハードウェアにより実現されるものであってもよく、また、メモリおよびＣＰＵ（中央演算装置）により構成され、上述の各部の機能を実現するためのプログラムをメモリにロードして実行することによりその機能を実現させるものであってもよい。
【００９１】
例えば、図１又は図５における端末制御部１４０、１４０Ａの一部もしくは全部、又はサーバ制御部２２０の一部もしくは全部の機能を実現するためのプログラムをコンピュータ読み取り可能な記録媒体に記録して、この記録媒体に記録されたプログラムをコンピュータシステムに読み込ませ、実行することにより上述の各部の処理を行ってもよい。なお、ここでいう「コンピュータシステム」とは、ＯＳや周辺機器等のハードウェアを含むものとする。
【００９２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【符号の説明】
【００９３】
１、１Ａ  広告システム、５  ネットワーク、１００  、１００Ａ  端末装置、１１０端末通信部、１２０  タッチパネル、１２１  表示部、１２２  入力部、１３０  端末記憶部、１４０、１４０Ａ  端末制御部、１４１  表示制御部、１４２  入力受付部、１４３  位置情報取得部、１４４  勤怠情報生成部、１４５  勤怠情報送信部、１４６  広告情報取得部、１４７  配車要求情報送信部、２００  管理サーバ、２１０  サーバ通信部、２２０  サーバ制御部、２２１  勤怠情報取得部、２２２  広告情報制御部、２３０  サーバ記憶部、３００  広告配信サーバ、４００  配車装置
【図１】
2015219659.tif 000003
【図２】
2015219659.tif 000004
【図３】
2015219659.tif 000005
【図４】
2015219659.tif 000006
【図５】
2015219659.tif 000007
【図６】
2015219659.tif 000008
【図７】
2015219659.tif 000009